(57)【要約】【課題】便器に対する密着性を高めることにより、詰まりの解消に必要な圧力を容易に発生させることができる通水カップを提供する。【解決手段】使用者が把持するための柄棒２と、該柄棒２の先端に取り付けられたカップ部材４とからなる通水カップ１において、上記カップ部材４は、弾性変形可能な素材により形成されていて、柄棒２側に位置する部分球面状の第１部分４Ａと、該第１部分４Ａから前方に向かって延出し先端に開口３を有する筒状の第２部分４Ｂとから構成され、上記第１部分４Ａと第２部分４Ｂとの間の位置に外周方向に張り出すフランジ状の張出縁５が設けられ、該張出縁５の前面５Ａと後面５Ｂのうち少なくとも前面５Ａは平坦に形成され、上記第２部分４Ｂが上記張出縁５より前方に突出して形成されている。【選択図】図１
2009100879.tif 000002
【特許請求の範囲】
【請求項１】
使用者が把持するための柄棒と、該柄棒の先端に取り付けられたカップ部材とからなる通水カップにおいて、
上記カップ部材は、弾性変形可能な素材により形成されていて、柄棒側に位置する部分球面状の第１部分と、該第１部分から前方に向かって延出し先端に開口を有する筒状の第２部分とから構成され、
上記第１部分と第２部分との間の位置に外周方向に張り出すフランジ状の張出縁が設けられ、該張出縁の前面と後面のうち少なくとも前面は平坦に形成され、
上記第２部分が上記張出縁より前方に突出していることを特徴とする通水カップ。
【請求項２】
上記第２部分は、次第に先細り形状をなすと共に、筒壁がカップ部材の内側に向って湾曲し、該筒壁の外面と上記張出縁の前面とが滑らかに連なっていることを特徴とする請求項１に記載の通水カップ。
【請求項３】
上記張出縁は、上記カップ部材と同心の略円環状に形成され、全体的に均一な厚さを有していることを特徴とする請求項１または２に記載の通水カップ。
【発明の詳細な説明】
【技術分野】
【０００１】
本発明は、和式便器または洋式便器の排水管に生じた詰まりを解消するための通水カップに関するものである。
【背景技術】
【０００２】
従来、和式便器や洋式便器の排水管に詰まりが生じた際、この詰まりを解消する道具として通水カップが公知である。この通水カップは、使用者が把持するための柄棒と、軟質弾性材料からなり先端に開口を有するカップ部材とから構成されている。
上記通水カップにおいて、排水管の詰まりを解消する場合には、先ず、上記カップ部材の口縁を便器の排水口の周囲に押し付けて密着させ、次いで、上記柄棒を押し引きすることによって上記カップ部材を弾性変形させる。すると、このカップ部材の弾性変形によって上記排水口内に正圧及び負圧が発生し、この圧力が上記排水口を通じて排水管内に作用するため、この圧力によって詰まりの原因となっている異物が上流或いは下流方向に移動され、上記詰まりが解消される。
【０００３】
しかしながら、上記従来の通水カップは、カップ形をしたカップ部材の先端縁をそのまま便器に押し付けるものであったため、密着性が悪く、詰まった異物を移動させるに必要な圧力が得られず、その分、何度も柄棒を往復動させる手間がかかっており、必ずしも利便性の高いものとは言えなかった。
【０００４】
一方、特許文献１には、カップ部材の外周に該カップ部材を取り囲む傾斜壁を設けたものが開示されている。この傾斜壁は、上記カップ部材の口縁外周に突設されていて、湾曲した形状をなしている。この特許文献１の通水カップは、上記傾斜壁を便器の周囲に押し付けて使用するものである。
【０００５】
しかし、上記特許文献１に示す通水カップは、上記傾斜壁が湾曲しているため、弾性変形し難く、該傾斜壁全体が排水口周囲に密着し難いことが考えられる。
【特許文献１】実開昭６３−２９４９６号公報
【発明の開示】
【発明が解決しようとする課題】
【０００６】
そこで本発明の課題は、便器に対する密着性を高めることにより、詰まりの解消に必要な圧力を容易に発生させることができる通水カップを提供することにある。
【課題を解決するための手段】
【０００７】
上記課題を解決するため、本発明によれば、使用者が把持するための柄棒と、該柄棒の先端に取り付けられたカップ部材とからなる通水カップにおいて、上記カップ部材は、弾性変形可能な素材により形成されていて、柄棒側に位置する部分球面状の第１部分と、該第１部分から前方に向かって延出し先端に開口を有する筒状の第２部分とから構成され、上記第１部分と第２部分との間の位置に外周方向に張り出すフランジ状の張出縁が設けられ、該張出縁の前面と後面のうち少なくとも前面は平坦に形成され、上記第２部分が上記張出縁より前方に突出していることを特徴とする通水カップが提供される。
【０００８】
本発明においては、上記第２部分は、次第に先細り形状をなすと共に、筒壁がカップ部材の内側に向って湾曲し、該筒壁の外面と上記張出縁の前面とが滑らかに連なっていることことが望ましい。
【０００９】
本発明において好ましくは、上記張出縁は、上記カップ部材と同心の略円環状に形成され、全体的に均一な厚さを有していることである。
【発明の効果】
【００１０】
本発明の通水カップは、便器に対して高い密着性を有することにより、排水管内に作用させる流体圧が容易に高められる。
【発明を実施するための最良の形態】
【００１１】
図１及び図２は、本発明に係る通水カップ１の一実施形態を示すものである。この通水カップ１は、使用者が把持するための柄棒２と、該柄棒２の先端に取り付けられて先端に開口３を有するカップ部材４とから構成されている。
【００１２】
上記柄棒２は、合成樹脂やアルミニウムなどの硬質素材で中空に形成された細長い丸棒であって、その軸線Ｌ方向の長さは、押し引き操作を行い易い長さに形成されている。該柄棒２の先端には、図２に示すように、該柄棒２と上記カップ部材４とを連結するための連結部材６が装着されている。この連結部材６は、合成樹脂やアルミニウム等からなる有底の筒状部材であって、先端部の外周に雄螺子７を有し、開口する基端部が、上記柄棒２内に挿入されて接着等の適宜手段により固定され、底部を有する上記先端部は、上記カップ部材４の筒状をした取付部４Ｃ内の雌螺子８にねじ込まれ、それによって上記柄棒２が、この連結部材６を介して上記カップ部材４に連結されている。
【００１３】
上記カップ部材４は、ゴム或いは軟質合成樹脂などの弾性変形可能な素材で全体が一体に形成されたもので、上記柄棒２側に位置する部分球面状をした第１部分４Ａと、該第１部分４Ａから前方に向かって延びる筒状の第２部分４Ｂと、これらの第１部分４Ａと第２部分４Ｂとの間の位置に該カップ部材４の外周を取り巻くように形成されたフランジ状の張出縁５とで構成されている。
【００１４】
上記第１部分４Ａは、柄棒２側に向けて凸形に湾曲する天面９を有し、この天面９の頂部の位置即ち第１部分４Ａの外面中央部に、軸線Ｌ方向に延びる略円筒状の上記取付部４Ｃが形成されている。図２に示すように、この取付部４Ｃは、上記柄棒２を強固に取り付けられるように、上記天面９よりも肉厚に形成するか、あるいは、内部に硬質の補強筒を挿入することにより、その強度が高められている。そして、この取付部４Ｃの内部の取付孔１０の内周面に、上記雌螺子８が形成されている。
【００１５】
上記第２部分４Ｂは、上記第１部分４Ａと同心状に位置していて、先端の開口３に向かって次第に小径となるような先細り形状に形成されると共に、その筒壁１１がカップ部材４の内側に向って湾曲した形に形成されている。従って、上記開口３の口径は、カップ部材４の内部空間の最大径、即ち、上記第１部分４Ａと第２部分４Ｂとの境界部分の内径より小さい。該第２部分４Ｂの肉厚は一定であっても良いが、先端側の弾性変形を生じ易くするためには、先端側ほど次第に薄肉になるように形成されていることが望ましい。
【００１６】
上記張出縁５は、カップ部材４の最も外径が大きい部分、即ち上記第１部分４Ａと第２部分４Ｂとの境目の外周部分に、該カップ部材４から水平方向即ち上記軸線Ｌと直交する方向に張り出すように形成されている。該張出縁５は、円環形をしていて、上記第１部分４Ａ及び第２部分４Ｂと同心状に位置し、その内周端から外終端に至るリング幅Ｈは全周にわたり一定である。
上記張出縁５の前面５Ａ及び後面５Ｂは、それぞれ平坦かつ平滑な面に形成されている。一方、この張出縁５の厚さは、その内周端から外終端にかけて一定であっても良いが、外周側の弾性変形を生じ易くするためには、外周側ほど次第に薄肉になるように形成されていることが望ましい。このように外周側を薄肉とした場合には、前面５Ａを上記軸線Ｌと直交する平面とし、後面５Ｂは、外周側ほど次第に前面５Ａに近づく方向に傾斜する傾斜面とすることが望ましい。
そして、上記張出縁５の前面５Ａは、上記第２部分４Ｂの筒壁９と、曲面を介して滑らかに連なっている。
【００１７】
上記構成を有する通水カップ１を使用して便器の詰まりを解消するときは、図３に示すように、上記カップ部材４を便器２１の排水口２２に押し付け、張出縁５を該排水口２２の周囲の壁部分２３に密着させる。このとき、上記カップ部材４の第２部分４Ｂは先細りの筒状をしていて、しかも弾性変形可能であるため、様々な形態の便器における排水口の口径や形状等に程良く適合し、少なくともその先端部分が該排水口内に確実に嵌合することになる。また、上記張出縁５は、カップ部材４の外周方向にフランジ状に延出していて、前面５Ａが平坦かつ平滑な面に形成されているため、該排水口２２の周囲の壁部分２３の形状に倣ってスムーズに弾性変形し、全周が該壁部分２３に良好に密接することになる。
【００１８】
その状態で上記柄棒２を押し引きすると、上記張出縁５が壁部分２３に密接したまま該張出縁５及び上記第１部分４Ａ及び第２部分４Ｂが弾性変形するため、上記排水口２内に正圧及び負圧が発生し、この圧力が排水管２４内に作用することにより、詰まりの原因となっている異物２５が吸引あるいは押圧されて押し動かされ、詰まりが解消する。
かくして上記通水カップ１は、外周にフランジ状の張出縁５を設けたことと、上記第２部分４Ｂを先細りの筒状に形成して該張出縁５よりも前方に突出させたこととにより、便器１に対する密着性を高めて排水管２４内の詰まりを確実に解消することができるものである。
【００１９】
なお、上記通水カップ１においては、和式便器及び洋式便器を問わず何れにも使用することが可能である。
【００２０】
また、本実施形態では、上記張出縁５の前面５Ａと後面５Ｂの両方が平坦且つ平滑な面に形成されているが、便器１に密着させる前面５Ａのみが平坦且つ平滑に形成されていればよい。したがって、後面５Ｂについては、その表面が粗面であっても、若干湾曲していても構わない。
【図面の簡単な説明】
【００２１】
【図１】本発明に係る通水カップの実施形態における正面図である。
【図２】図１の通水カップのＡ−Ａ線での断面図である
【図３】図１の通水カップの使用状態の説明図である
【符号の説明】
【００２２】
１    通水カップ
２    柄棒
３    開口
４    カップ部材
４Ａ  第１部分
４Ｂ  第２部分
５    張出縁
５Ａ  前面
５Ｂ  後面
１１  筒壁
【図１】
2009100879.tif 000003
【図２】
2009100879.tif 000004
【図３】
2009100879.tif 000005